(57)【要約】【課題】  ゴルフプレイは１ホール平均３回は屈む必要がある、１８ホールをノータッチでプレイしたとしても、テイーアップからホールアウトまで最低３Ｘ１８＝５４回はボールを触らなくては不可能である、高齢化と供に屈むのが苦痛になり、他人に気遣いしてゴルフをしなくなる人が増えてきている、これを防ぐことが目的である。  本発明はゴルフラウンドプレイを屈むことなくプレイ出来るための器具を提供する。【解決手段】  頭部内面にボール止め用のゴムを取り付けた穴のあいた椀状のボール挿入部を設け、ボールとテイーを押し出すテイーホールダー付きピンと別に、マークを押し出すピンの２種類を設け、シャフト内にワイヤーを通して繋ぎ、頭部の反対側に備えた、それぞれのノブにて操作できる機能を設ける。【選択図】図１
2011087874.tif 000002
【特許請求の範囲】
【請求項１】
頭部内面にボール止め用のゴムを取り付けた、穴のあいた椀状のボール挿入部を設け、ボールとテイーを押し出すテイーホールダー付きピンと、別にマークを押し出すピンを２種類設け、シャフト内にワイヤーを通して繋ぎ、頭部の反対側に備えたそれぞれのノブにて、操作できる機能を設け、吊上げ棒をシャフトの外部に設けたゴルフボールのセッテイング用器具。
【請求項２】
ボールを取り上げると同時にマーキングが出来るように打球方向の予測目印をシャフトの前頭部に設けた請求項１記載のゴルフボールのセッテイング用器具。
【請求項３】
シャフト頭部内にあるボールとテイーを押し出すピンの先にテイーホールダーを設け、鉄を内蔵した単一又は複数の足を持つ専用テイーをそれに使用するように構成した請求項１又は請求項２記載のゴルフボールのセッテイング用器具。
【発明の詳細な説明】
【技術分野】
【０００１】  本発明は、ゴルフプレイ中テイーグランド上においてテイーアップする際と、グリーン上でも屈む動作をするが、これを回避する為の、ゴルフボールのセッティング用器具に関するものである。
【背景技術】
【０００２】  ゴルフはテイーグランドに立ち打球して行き、グリーンのピンホールにカップインしてそのボールを取り出すことによって終了するプレイで、ラウンドするとボールを屈んで触ることも多く、この動作全てを回避できる器具はないが、ホールアウトしたカップ中のボールを、真空を利用して吸い上げるためのゴム器具は知られている。
【発明の開示】
【発明が解決しようとする課題】
【０００３】  ゴルフプレイは１ホール平均３回は屈む必要がある、１８ホールをノータッチでプレイしたとしても、テイーアップからホールアウトまで最低３Ｘ１８＝５４回はボールを触らなくては不可能なプレイである、高齢化と供に、かがむ行為が苦痛になってきて、プレイの楽しみが半減するだけでなく、メンタル面の多いスポーツなので同伴者に気づかい、ゴルフを断念する人がふえている、これはゴルフ界にも大きな影を落とす問題と考えられるので、ここに屈まなくてゴルフが出来る器具を提供する。
本発明は以上の問題点を解決するものである。
【課題を解決するための手段】
【０００４】  頭部内面にボール止め用のゴムを取り付けた、穴のあいた椀状のボール挿入部を設けて、ボールを脱着させ、ボールとテイーを押し出すテイーホールダー付きピンと別に、マークを押し出すピンの２種類を設け、シャフト内にワイヤーを通して繋ぎ、頭部の反対側に備えた、それぞれのノブにて操作できる機能を設けたものであり、実際に使用する場合は次のようになる。
テイー用ピンを使用する場合はピンの先端に設けてあるテイーホールダーに本器具専用の、鉄を内蔵した単一又は複数の足を持つ専用テイーを使用する、
マーク用ピンを使用する場合はシャフトの前頭部に設けた打球方向の予測目印を見ながら鉄製のマークを使用し、ボール取り上げと同時にマーキング出来る装置を設けるものである。
又パター時に本器具を持ち運ぶための吊上げ棒をシャフトの外部に設ける。
以上の構成よりなるゴルフボールのセッテイング用器具。
【発明の効果】
【０００５】本器具の発明により一度も足を曲げ屈むことが無くなって、痛みも出なくラウンドプレイでき、精神面での気楽さも大いに助かる様になる、又今まではプレイだけを楽しんでいた方もラインや方向性などを、より重視するようになり、少しでも高度な技術を身に着け、よりよいスコアーになる様努力することになる、何よりも素晴らしいスポーツをいつまでも続けられることが重要である。
【発明を実施するための最良の形態】
【０００６】以下、本発明の実施の形態を説明する。
（イ）セッテイング用器具の頭部（Ａ）にはボール（１１）をセットする椀状のボールの挿入部（３）の内面にゴム（１）を数か所貼り付け把握力を強め、マーク（１２）をセットするマークホールダー（４）、及び専用テイー（２２）をセットするテイーホールダー（１３）を先端にボール、テイー押し出しピン（１４）を設ける。本器具に使用する専用テイー（２２）は鉄（２３）を内蔵するテイーの頭（２４）と単一又は複数のテイーの足（２５）を有するもので構成されている、又頭部中心の最先端外部に打球方向の予測目印（２）を設けている。
（ロ）シャフト（Ｂ）の内部を通る２種類のワイヤーで繋がった後部の操作部（Ｃ）は、１本はテイーホールダー（１３）を操作するテイー用ノブ（９）と押し込んで離すと自動的に元へ返るテイー押し出しノブ用戻しスプリング（２８）を備え、１本はマーク（１２）を押し出すマーク押し出しピン（１７）を操作するマーク用ノブ（１０）と押し込んで離すと自動的に元へ返るマーク押し出しノブ用戻しスプリング（２９）を設ける。これらのワイヤーはワイヤーカバーが付いているため、ノブの操作時にワイヤーに着いて動かないようにシャフト内に、ワイヤーカバー回転止め（２１）で止めている。
（ハ）器具の吊上げ棒（７）は棒取付台（５）とスプリング（６）によって結ばれておりＢシャフト部に取り付ける為の吊上げ棒固定ボルト（２７）を軸として、水平に回転するように設けている、吊上げ棒（７）は吊上げ棒止具（８）を抜け勝手方向でない方に設定し安全性を求めている、使用するときは吊上げ棒止具（８）より吊上げ棒（７）を外せば、自動的にスプリング（６）に引っ張られて回転し、吊上げ棒回転止め（２６）により９０度を保って水平に止まる、吊上げ棒（７）を垂直にしてぶら下げれば、いろんな点が支点になり本器具をグリーン状に置いても倒れにくい構造にしている。
本発明は以上のような構造である。
本発明を使用するときは、
テイーショットで使用の場合は、
専用テイー（２２）をテイーホールダー（１３）に手で差し込み、テイーホールダー（１３）と共に専用テイー（２２）を地面に向けテイー用ノブ（９）を押しながら差し込み、しっかりと刺さっているのを確認してから、少し手前に本器具を傾けると専用テイー（２２）はテイーの頭（２４）が傾いてテイーホールダー（１３）のテイー用マグネット（１５）から片面が離れて磁力が弱くなりテイー用ノブ（９）を手放しながら、本器具を上げていけば、専用テイー（２２）は刺さったまま芝面に残る、次にボール（１１）を椀状のボールの挿入部（３）に手で挿入して、本器具を刺さったテイーの上に持って行き、テイー用ノブ（９）を軽く押すとテイーの上にボールが乗りテイーショット出来る状態になる。硬い地面などの時はテイーの足（２５）が複数の方が刺さり易い。
グリーン上でマークする場合は、
マーク（１２）をマーク取付座（２０）より取り外しマークホールダー（４）に移しボールの挿入部（３）をボール上にかぶせて本器具を少し抑え気味にし
ボールを挿み、マーク用ノブ（１０）を押すとマーク（１２）がグリーン上のボール手前に落ち、ボールはボールの挿入部（３）に入った状態になりそのまま本器具を持ち上げればマーキングが完了する、
ボールを置くときは、ボールをボールの挿入部（３）に入れ本器具をマークの前に垂直に置き、少しずつ本器具を手前に傾けるとマーク（１２）がマークホールダー（４）の内部マーク用マグネット（１９）に吸いつくので、今度はテイー用ノブ（９）を押すとボール（１１）が芝面に落ちマークした以前の場所に収まる。
カップ内のボールを取り上げる場合は、
本器具の外径寸法をカップより小さくしているので、そのままカップ内に、入れて軽く押さえればボール（１１）は簡単に取り上げられる。
パター時など本器具の移動で吊上げ棒を使用する場合は、
吊上げ棒（７）は棒取付台（５）とスプリング（６）によって結ばれていて、Ｂシャフト部に取り付ける為の吊上げ棒固定ボルト（２７）を軸にして、水平回転するので吊上げ棒止具（８）から放して吊上げ棒回転止め（２６）で止まった状態にし、吊上げ棒（７）を地面に垂直にしておけば、何回パターして移動しても立ったままで持ち運び出来るし、又グリーン上に置いても本器具が一番倒れにくい位置に設置している。
【図面の簡単な説明】
【０００７】
【図１】  本発明の全体図で斜視図
【図２】  ボール、及びマーク装着時の斜視図
【図３】  ボール、及びマーク装着時のＡ頭部の断面図
【図４】  専用テイーを装着時のＡ頭部の断面図
【図５】  吊上げ装置の未使用時の全体図の左側面図
【図６】  吊上げ装置の使用時の全体図の平面図
【図７】  Ｃ操作部の断面図
【符号の説明】
【０００８】１  ゴム、
２  予測目印、
３  ボールの挿入部、
４  マークホールダー、
５  棒取付台、
６  スプリング、
７  吊上げ棒、
８  吊上げ棒止具、
９  テイー用ノブ、
１０  マーク用ノブ、
１１  ボール、
１２  マーク、
１３  テイーホールダー、
１４  ボール、テイー押し出しピン、
１５  テイー用マグネット、
１６  ボール、テイー押し出しピン用ワイヤー、
１７  マーク押し出しピン、
１８  マーク押し出しピン用ワイヤー、
１９  マーク用マグネット、
２０  マーク取付座、
２１  ワイヤーカバー回転止め、
２２  専用テイー、
２３  鉄、
２４  テイーの頭、
２５  テイーの足、
２６  吊上げ棒回転止め、
２７  吊上げ棒固定ボルト、
２８  テイー押し出しノブ用戻しスプリング、
２９  マーク押し出しノブ用戻しスプリグ、
Ａ  頭部
Ｂ  シャフト部
Ｃ  操作部
【図１】
2011087874.tif 000003
【図２】
2011087874.tif 000004
【図３】
2011087874.tif 000005
【図４】
2011087874.tif 000006
【図５】
2011087874.tif 000007
【図６】
2011087874.tif 000008
【図７】
2011087874.tif 000009